(57)【特許請求の範囲】
【請求項１】
エスカレータの踏段上に、前記踏段の走行方向に並設された複数のユニットと、
前記ユニットに設けられ、前記踏段の上方に配置された作業用踏板と、
を備え、
前記各ユニットは、
前記踏段に立設され、前記踏段の走行方向及び幅方向に並んで配置された複数の支持柱と、
前記支持柱を前記踏段の走行方向に連結する第１連結腕と、
前記支持柱を前記踏段の幅方向に連結する第２連結腕と、
前記支持柱に設けられ、前記作業用踏板を支持する踏板取付台と、
を備え、
前記各ユニットは一体的に構成され、
前記第１連結腕は、隣接する前記支持柱の間隔がそれぞれ独立して調整可能となるように、前記支持柱を連結し、
前記第２連結腕は、リンク機構を呈し、隣接する前記支持柱の間隔が調整可能となるように前記支持柱を連結し、
前記踏板取付台は、エスカレータの傾斜に合わせてその取付角度が調整自在な
ことを特徴とするエスカレータ用作業用足場装置。
【請求項２】
エスカレータの踏段上に並設された複数のユニットの一部は、他のユニットが有する支持柱の本数と異なる本数の支持柱を有することを特徴とする請求項１に記載のエスカレータ用作業足場装置。
【請求項３】
エスカレータの乗降口付近に、エスカレータの傾斜部に設置されたユニットよりも支持柱の本数が少ないユニットが設置されたことを特徴とする請求項２に記載のエスカレータ用作業足場装置。
【発明の詳細な説明】
【技術分野】
【０００１】
この発明は、エスカレータの外装工事や外装設置の諸設備を取り付ける際に用いられるエスカレータ用作業足場装置に関するものである。
【背景技術】
【０００２】
エスカレータでは、外装工事や外装設置の諸設備（例えば、スプリンクラー、外装照明、スピーカ等）の取り付け、取り替え、メンテナンスを行う際に、従来から作業足場装置が使用されている。一般に、従来の作業足場装置は固定式であり、一旦組み立てが完了すると、外装工事等の作業が終了するまで、作業足場装置が解体されることはなかった。
【０００３】
例えば、作業足場装置の従来技術として、それぞれ単管パイプからなる固定柱、手摺、固定横柱、開き止めをエスカレータ上で適切に組み立て、その組み立てた物に足場用の踏板を架け渡したものが提案されている（特許文献１参照）。特許文献１記載のものでは、全体を支持する固定柱がエスカレータの踏段上に立設されるため、エスカレータの周囲の設備や建築構造等の影響を受けることなく、作業足場を確実に組み立てることができるといった利点がある。
【０００４】
【特許文献１】特開２００３−２６３８６号公報
【発明の開示】
【発明が解決しようとする課題】
【０００５】
特許文献１記載のものを含め従来のエスカレータ用作業足場装置は、その構成部材の殆どが単管パイプ等によって構成されていたため、組立作業や解体作業に、専門技能（例えば、とび職等の専門職）と経験とが必要になり、作業時間が長時間に及ぶといった問題があった。
また、これらの作業足場装置は上述したように固定式であるため、外装工事等が終了するまで解体されることはなく、外装工事等の期間中は、エスカレータ本体に関する作業が行えないといった問題もあった。
【０００６】
この発明は、上述のような課題を解決するためになされたもので、その目的は、誰でも簡単に且つ短時間で組み立て及び解体することができ、エスカレータの外装工事等の実施期間中も、必要に応じてエスカレータ本体に関する作業を行うことができるエスカレータ用作業足場装置を提供することである。
【課題を解決するための手段】
【０００７】
この発明に係るエスカレータ用作業足場装置は、エスカレータの踏段上に、踏段の走行方向に並設された複数のユニットと、ユニットに設けられ、踏段の上方に配置された作業用踏板と、を備え、各ユニットは、踏段に立設され、踏段の走行方向及び幅方向に並んで配置された複数の支持柱と、支持柱を踏段の走行方向に連結する第１連結腕と、支持柱を踏段の幅方向に連結する第２連結腕と、支持柱に設けられ、作業用踏板を支持する踏板取付台と、を備え、各ユニットは一体的に構成され、第１連結腕は、隣接する支持柱の間隔がそれぞれ独立して調整可能となるように、支持柱を連結し、第２連結腕は、リンク機構を呈し、隣接する支持柱の間隔が調整可能となるように支持柱を連結し、踏板取付台は、エスカレータの傾斜に合わせてその取付角度が調整自在なものである。
【発明の効果】
【０００８】
この発明によれば、誰でも簡単に且つ短時間で組み立て及び解体することができ、エスカレータの外装工事等の実施期間中も、必要に応じてエスカレータ本体に関する作業を行うことができるようになる。
【発明を実施するための最良の形態】
【０００９】
この発明をより詳細に説明するため、添付の図面に従ってこれを説明する。なお、各図中、同一又は相当する部分には同一の符号を付しており、その重複説明は適宜に簡略化ないし省略する。
【００１０】
実施の形態１．
図１はこの発明の実施の形態１におけるエスカレータ用作業足場装置を示す側面図、図２はその正面図である。また、図３はエスカレータ用作業足場装置のユニット構造の一例を示す側面図、図４はその正面図である。
この発明におけるエスカレータ用作業足場装置はユニット構造を有しており、複数のユニットがエスカレータの踏段上に、踏段の走行方向に並設されることにより、全体の長さが調節されて、上下階床間（エスカレータの上下乗降口間）に設置される。即ち、図３及び図４は作業足場装置の１ユニット分の構成を示しており、図１及び図２に示すエスカレータ用作業足場装置は、このようなユニットが複数連結されることによって構成されている。
【００１１】
作業足場装置の各ユニットは一体的に構成され、その全体の長さ及び幅が伸縮自在な構造を有している。具体的に、各ユニットは、図３及び図４に示すように、その要部が、支持台１、支持柱２、上部連結腕３、下部連結腕４、左右連結腕５、踏板取付台６によって構成される。
【００１２】
支持柱２は、エスカレータの踏段７上に立設されるものであり、複数本が、上部連結腕３及び下部連結腕４によって、立設された状態で一列に連結されている。また、この一列に連結されたもの２つが並べて配置され、左右連結腕５によって、並設された状態で連結されている。図３及び図４には、ユニット構造の一例として、片側５本（計１０本）の支持柱２が備えられたものを示している。なお、支持台１は、支持柱２が踏段７上に立設される際に踏段７上に載置される部分であり、各支持柱２の下端部に固定されている。
【００１３】
上部連結腕３及び下部連結腕４は、ユニットの長さが伸縮自在になるように、支持柱２を一列（図１及び図２においては、踏段７の走行方向）に連結する。具体的に、上部連結腕３は、隣接する支持柱２の間隔をそれぞれ独立して調節することができるようなリンク機構を呈しており、例えば、第１連結腕３ａ、第２連結腕３ｂ、連結ピン８によって構成される。
【００１４】
第１連結腕３ａは所定長さの棒状を呈し、その一端部が、ユニット内の１つの支持柱２（第１支持柱）の上部に回動自在に設けられている。また、第２連結腕３ｂは第１連結腕３ａと同様に所定長さの棒状を呈し、その一端部が、上記第１支持柱と同じ列で隣接する支持柱２（第２支持柱）の上部に、回動自在に設けられている。そして、連結ピン８は、第１連結腕３ａ及び第２連結腕３ｂの各他端部を回動自在に連結する。即ち、同じ列に設けられた支持柱２は、隣接して配置されたものの各上部間が、上記構成の第１連結腕３ａ及び第２連結腕３ｂによって連結されている。
【００１５】
また、下部連結腕４は、上部連結腕３と同様の構成を有しており、例えば、第１連結腕４ａ、第２連結腕４ｂ、連結ピン９によって構成される。そして、同じ列に配置された支持柱２は、隣接して配置されたものの各中間部間が、第１連結腕４ａ及び第２連結腕４ｂによって連結されている。
【００１６】
左右連結腕５は、ユニットの幅が伸縮自在になるように、並列（図１及び図２においては、踏段７の幅方向）に配置された支持柱２間を連結する。具体的に、左右連結腕５は、一方の列の支持柱２と他方の列の支持柱２との間隔を調整することができるようなリンク機構を呈しており、例えば、第１連結腕５ａ、第２連結腕５ｂ、連結ピン１０によって構成される。
【００１７】
第１連結腕５ａは所定長さの棒状を呈し、その一端部が、一方の列の支持柱２（第３支持柱）の下端部に回動自在に設けられている。また、第２連結腕５ｂは、第１連結腕５ａと同様に所定長さの棒状を呈し、その一端部が、他方の列の支持柱２であって上記第３支持柱に隣接するもの（第４支持柱）の下端部に回動自在に設けられている。そして、連結ピン１０は、第１連結腕５ａ及び第２連結腕５ｂの各他端部を回動自在に連結する。
【００１８】
上記構成のユニットは、常時に、その長さ及び幅が縮められた状態で保管される。そして、エスカレータの外装工事や外装設置の諸設備（例えば、スプリンクラー、外装照明、スピーカ等）の取り付け、取り替え、メンテナンス等を行う場合に、エスカレータの踏段７上に組み立てられる。
【００１９】
具体的に、エスカレータの外装工事等を行う場合は、先ず、作業足場装置のユニットを、その長さ及び幅が縮められた状態でエスカレータ設置場所まで運搬する。そして、エスカレータの踏段７上で、上部連結腕３及び下部連結腕４と左右連結腕５とをそれぞれ伸長させる。なお、各連結腕３乃至５は、踏段７の幅や配置に合わせてその長さが設定されているため、支持柱２は、各連結腕３乃至５を伸長させることにより、踏段７の走行方向及び幅方向にきれいに並んで配置される。
【００２０】
なお、ユニットが設置されるエスカレータが１つ（１種類）に決まっている場合は、各連結腕３乃至５は、隣接する支持柱２の間隔を２段階（伸長時及び短縮時）に調節することができれば、その機能を満足することができる。一方、隣接する支持柱２の間隔を多段階（無段階）に調節可能に構成しておけば、種々のタイプのエスカレータに対応させることも可能となる。また、上述の通り、上部連結腕３と下部連結腕４とはそれぞれリンク機構を呈しているため、エスカレータの傾斜に合わせて支持柱２を配置することが可能である。
【００２１】
そして、踏段７上に既に組み立てられたユニットの上側又は下側に、同じ構成のユニットを連結して組み立て、エスカレータの上下乗降口間に渡ってユニットを設置する。なお、支持柱２の本数が異なるユニットを数種類用意しておけば、エスカレータの長さ（上下乗降口間距離）に対応させて作業足場装置を設置することができる。即ち、作業足場装置のユニットとして、エスカレータの傾斜部に設置するユニットよりも支持柱２の本数が少ない異なる種類のユニットを用意しておく。そして、全て同じ構成のユニット（例えば、１０本の支持柱２を備えたユニット）を使用して作業足場装置を組み立てると、作業足場装置がエスカレータの乗降口から大きく突出してしまうような場合には、最適な長さのユニットを上記異なる種類のユニットの中から選択し、乗降口付近に設置すれば良い。
【００２２】
そして、踏段７上に上記ユニットを適切に設置した後、そのユニットの踏板取付台６に作業用踏板１１を載置して固定し、作業用踏板１１を踏段７よりも所定距離上方に配置する。
なお、踏板取付台６は、作業者が乗る上記作業用踏板１１を支持するために支持柱２に固定されたものであり、エスカレータの傾斜に合わせて、その取付角度（上面の角度）が設定されている。なお、踏板取付台６の取付角度を複数段階に調整自在に構成し、複数の傾斜のエスカレータに対応できるようにしても良い。
【００２３】
上記手順によってエスカレータの上下乗降口間に作業足場装置を設置した後、作業者は、上記作業用踏板１１上に移動して外装工事等の必要な作業を行う。なお、上部連結腕３は、作業足場装置の組立状態において作業用踏板１１から所定の高さに配置されており、作業者が掴む手摺としての機能を併せ持っている。
また、外装工事等が終了した場合や一旦中断するような場合は、上記組立手順と逆の手順によって作業足場装置を解体し、エスカレータ上から撤去する。
【００２４】
この発明の実施の形態１によれば、誰でも簡単に且つ短時間で作業足場装置を組み立て及び解体することができる。即ち、上記作業足場装置は、ユニットの組み合わせによってエスカレータの上下乗降口間に対応でき、更に、各ユニットがリンク機構、即ちジャバラ方式によって伸縮可能に構成されている。このため、従来のように、作業足場装置の組立時や解体時に、構成部品毎に配置や固定作業等を行う必要がなく、専門の技能や経験がない者であっても容易に作業を行うことができる。
また、作業足場装置を組み立てる時以外は、上記ユニットを縮めておくことができるため、ユニットの運搬や保管を容易化する効果も期待できる。
【００２５】
また、組立及び解体作業を誰でも容易に行うことができるため、エスカレータの外装工事等の実施期間中であっても、必要に応じてエスカレータ本体に関する作業を行うことができるようになる。このため、エスカレータ全体の改修に必要な工期を大幅に短縮させることができ、改修のコストダウンも可能となる
【００２６】
なお、この作業足場装置は、図２に示すように、エスカレータの踏段７上に組み立てられ、踏段７によってのみ支持される。即ち、エスカレータの他の部分（例えば、踏段７の両側に設けられた移動手摺１２、内側板１３、外側板１４等）やエスカレータの周囲の設備等に干渉することなく、作業足場装置を組み立てることができる。このため、あらゆる場所に設置されたエスカレータに対応することができる。
【図面の簡単な説明】
【００２７】
【図１】この発明の実施の形態１におけるエスカレータ用作業足場装置を示す側面図である。
【図２】この発明の実施の形態１におけるエスカレータ用作業足場装置を示す正面図である。
【図３】エスカレータ用作業足場装置のユニット構造の一例を示す側面図である。
【図４】エスカレータ用作業足場装置のユニット構造の一例を示す正面図である。
【符号の説明】
【００２８】
１  支持台
２  支持柱
３  上部連結腕
３ａ、４ａ、５ａ  第１連結腕
３ｂ、４ｂ、５ｂ  第２連結腕
４  下部連結腕
５  左右連結腕
６  踏板取付台
７  踏段
８、９、１０  連結ピン
１１  作業用踏板
１２  移動手摺
１３  内側板
１４  外側板
【図１】
0005303986.tif 000002
【図２】
0005303986.tif 000003
【図３】
0005303986.tif 000004
【図４】
0005303986.tif 000005